(57)【特許請求の範囲】
【請求項１】
乗員コンパートメントを覆う閉鎖位置と前記乗員コンパートメントの少なくとも一部の領域が覆われていない開放位置との間を折り畳み屋根リンケージによって移動可能な少なくとも２つの屋根部と、
前記屋根部が前記閉鎖位置にあるとき前記乗員コンパートメントに面している車内天井部であって、少なくとも１つの前記屋根部に対して緩やかに保持される少なくとも１つの弛緩領域を有する前記車内天井部と、
前記車内天井部を形成するために前記車内天井部の前記弛緩領域と前記屋根部との間を少なくとも１つの線型形成素子で接続することで前記車内天井部と協働する前記線型形成素子であって湾曲された前記線型形成素子と、を具備するオープンカーの折り畳み屋根であって、
前記屋根部は、前記車内天井部を保持しつつ前記開放位置と前記閉鎖位置との間を移動可能であることを特徴とするオープンカーの折り畳み屋根。
【請求項２】
請求項１において、
前記車内天井部の前記弛緩領域は、前記屋根部が前記閉鎖位置にあるとき、前記屋根部に保持されていることにより、前記屋根部の形状を再現していることを特徴とするオープンカーの折り畳み屋根。
【請求項３】
請求項１において、
少なくとも１つのカバー素子は、前記屋根部が前記閉鎖位置にあるとき、前記屋根部の１つを被覆しており、前記車内天井部の前記弛緩領域は、少なくとも１つの前記カバー素子に保持されていることにより、少なくとも１つの前記カバー素子の形状を再現していることを特徴とするオープンカーの折り畳み屋根。
【請求項４】
請求項１において、
前記車内天井部の前記弛緩領域は、少なくとも部分的に前方屋根部の後方に配置されており、前記線型形成素子は、後方屋根部に緩やかに接続される自由端を有していることを特徴とするオープンカーの折り畳み屋根。
【請求項５】
請求項４において、
前記後方屋根部は後部窓を具備しており、前記屋根部が前記閉鎖位置にあるときに、前記後方屋根部は車体のＣコラム領域に配置されていることを特徴とするオープンカーの折り畳み屋根。
【請求項６】
請求項４において、
前記線型形成素子は前記自由端の前方他端部をもち、前記前方他端部は、形状的に安定した前記屋根部の構成部に接続されていることを特徴とするオープンカーの折り畳み屋根。
【請求項７】
請求項６において、
形状的に安定した前記構成部は、前記後方屋根部の前方の構成部分であることを特徴とするオープンカーの折り畳み屋根。
【請求項８】
請求項６において、
前記線型形成素子の前記前方他端部は、形状的に安定した前記構成部に固定されていることを特徴とするオープンカーの折り畳み屋根。
【請求項９】
請求項８において、
前記線型形成素子の前記前方他端部は、クリップ接続部により、形状的に安定した前記構成部に固定されていることを特徴とするオープンカーの折り畳み屋根。
【請求項１０】
請求項１において、
前記車内天井部は、前記車内天井部の環状の辺縁領域をもち、前記線型形成素子は、前記環状の辺縁領域に配置されていることを特徴とするオープンカーの折り畳み屋根。
【発明の詳細な説明】
【技術分野】
【０００１】
請求項１の前提部にさらに詳細に記載されているように、本発明は、乗員コンパートメントを覆う閉鎖位置と乗員コンパートメントの少なくとも一部の領域が覆われていない開放位置との間を折り畳み屋根リンケージによって移動可能な少なくとも２つの屋根部と、乗員コンパートメントに面する車内天井部と、を有するオープンカーの折り畳み屋根に関する。
【背景技術】
【０００２】
独国特許第１９９  ２１  ３０５  Ｂ４号明細書に記載の特に乗用自動車用の折り畳み屋根が知られている。折り畳み屋根は、折り畳み屋根構造部と、折り畳み屋根構造部の車外側に取り付けられている上部カバーと、で構成され、折り畳み屋根構造部の筺体側面に配置される上部ベアリングと協働する折り畳み屋根構造部は、フロントガラスフレームに隣接して延在する大表面の強固な前方上部セクションと、メイン弓形部と、後方側テンション弓形部と、を有している。乗員コンパートメントに面する折り畳み屋根構造部の側面には、中央部と、中央部の縦方向両側に接続される２つの側面部と、を有する車内天井部が設けられている。中央部と側面部との共有接続領域において、乗員コンパートメントから離れる方向の車内天井部の側面には、縦方向に延びる保持ループが配置されており、保持ループによって保持ケーブルを案内することができ、折り畳み屋根構造部のこの領域に緩やかに配置される車内天井部を折り畳み屋根の閉鎖位置において固定することができる。
【先行技術文献】
【特許文献】
【０００３】
【特許文献１】独国特許第１９９  ２１  ３０５  Ｂ４号明細書
【発明の概要】
【発明が解決しようとする課題】
【０００４】
しかしながら、このような構造の折り畳み屋根では、車内天井部に張力を与える保持ループを経由する保持ケーブルからの車両横方向の力が小さいので、車内天井部は所望の車両横方向の張力が得られないか、若しくは、かなりの複雑さを要する。
【０００５】
また、このような車内天井部の当接状態は、実質的に平面に対してのみ可能であるので、折り畳み屋根の設計の自由度が制限される。
【０００６】
本発明は、折り畳み屋根が閉じられているときに、複雑な形状を有する折り畳み屋根を所望の張力で車内天井部に積載することが可能なオープンカーの折り畳み屋根を簡単に低価格で提供することを目的とする。
【課題を解決するための手段】
【０００７】
上記課題は、請求項１の特徴部分に係る導入部に記載のオープンカーの折り畳み屋根によって解決される。また、オープンカーの折り畳み屋根の更なる有利な実施形態は、従属請求項に明示されている。
【０００８】
つまり、乗員コンパートメントを覆う閉鎖位置と乗員コンパートメントの少なくとも一部の領域が覆われていない開放位置との間を折り畳み屋根リンケージによって移動可能な少なくとも２つの屋根部と、乗員コンパートメントに面しており、少なくとも１つの屋根部に対して緩やかに案内される少なくとも１つの領域を有する車内天井部と、を具備するオープンカーの折り畳み屋根が提案される。本発明によれば、少なくとも１つの線型形成素子が車内天井部を形成するために車内天井部と協働する。
【０００９】
本発明に係るオープンカーの折り畳み屋根は、ソフトトップ折り畳み屋根としてもハードトップ折り畳み屋根としても構成することができ、少なくとも１つの線型形成素子によって、非常に簡単に柔軟に車内天井部の形状を予め形成することができる。線型形成素子を各種形状で構成できるので、それに対応して車内天井部の形状を様々に形成でき、予め規定されたそれぞれの折り畳み屋根の基本的条件に極めて簡単に適応させることができる。
【００１０】
折り畳み屋根の縦方向に車内天井部を案内する場合及び折り畳み屋根の横方向に車内天井部を案内する場合のいずれの場合においても、少なくとも１つの線型形成素子によって、線型形成素子に的確に対応する実施形態を実現することができる。
【００１１】
さらに、折り畳み屋根の開放位置において、線型形成素子によって簡単に車内天井部を収納することができる。
【００１２】
本発明に係る折り畳み屋根の有利な実施形態では、折り畳み屋根の閉鎖位置において、車内天井部の弛緩領域は屋根部又はそれぞれのカバー素子に保持されており、少なくとも１つの屋根部の形状又は少なくとも１つの屋根部を覆うカバー素子の形状を再現している。線型形成素子は、非常に柔軟に設計することができるので、屋根部の形状又はそれぞれのカバー素子の形状が複雑であっても、極めて簡単に少なくとも１つの屋根部又はそれぞれのカバー素子に対して、所定の当接状態を確保することができる。
【００１３】
車内天井部の弛緩領域が前方屋根部の少なくとも部分的に後方に配置されて、線型形成素子が後方屋根部又はそれぞれのカバー素子に緩やかに接続される自由端を有すると、折り畳み屋根の様々な動作において、屋根部又はそれぞれのカバー素子に対する車内天井部の当接が確実となる。従って、例えば、後方屋根部の折り畳み屋根機構の場合において、折り畳み屋根が開放されるときに、後方屋根部が初めは車両の縦方向に移動することにより、後方屋根部が車内天井部と固定接続されない機構が可能となる。車内天井部は、線型形成素子によって後方屋根部又は後方屋根部を覆うそれぞれのカバー素子に当接して、折り畳み屋根が閉鎖位置で後方屋根部に未接続の状態で簡単に保持することもできる。
【００１４】
また、本発明に係る折り畳み屋根は、折り畳み屋根の閉鎖位置において、車両の縦方向に沿って、一方が他方の後方にある２つ以上の屋根部を有することもできる。ここで用いられている「前方屋根部」と「後方屋根部」は、折り畳み屋根の閉鎖位置において、特に互いに隣接する２つの屋根部を指す用語である。
【００１５】
本発明に係る折り畳み屋根の実施形態は、複雑な折り畳み屋根機構の場合にも、多方面に亘って使用することができる。本発明によれば、複雑な折り畳み屋根機構の折り畳み屋根の閉鎖位置において、視覚的に魅力的な車内天井部の配置を実現することができる。さらに、例えば、車内天井部の後方屋根部との緩やかな接続により、折り畳み屋根の開放動作中又は閉鎖動作中に車内天井部に作用する大きな力が抑止される。
【００１６】
本発明に係る他の有利な実施形態では、後方屋根部に後部窓を具備しており、折り畳み屋根が閉じられているときに、後方屋根部は車体のＣコラム領域に配置されている。これにより、折り畳み屋根が閉じられているときに、車内天井部は、それぞれ２番目の屋根部又は後方屋根部と簡単に可能な限り密接な状態にすることができ、例えば、４人乗りのオープンカーの場合において、後部座席の乗員は、後部座席において可能な限り広大な頭上スペースを利用することができる。
【００１７】
本発明の有利な実施形態によって、線型形成素子の自由端の他端部が、特に前方屋根部の構成部分である形状的に安定した構成部に配置されることにより、少なくとも１つの屋根部又はそれぞれのカバー素子に対して、車内天井部の特別な安定した当接状態が得られる。これにより、車内天井部の前方屋根部に対する好適な支持効果を得ることができ、後方屋根部又はそれぞれの後方屋根部のカバー素子に対する車内天井部の確かな当接状態を確保することができる。
【００１８】
線型形成素子の自由端の他端部は、既知のあらゆるタイプの締め具によって形状的に安定した構成部と接続することができ、特に、線型形成素子の自由端の他端部がクリップ接続部を介して形状的に安定した構成部と接続可能であると、車内天井部は前方屋根部に対して簡単に迅速に配置されることができる。
【００１９】
本発明の実施形態では、線型形成素子が車内天井部の環状の辺縁領域又はへりに配置されており、所定の方法により、線型形成素子は車内天井部に接続され、若しくは、折り畳み屋根の特に横方向に車内天井部と協働することができる。
【００２０】
本発明に係るオープンカーの折り畳み屋根についての更なる利点及び有利な実施形態は、図面及び明細書に明示されている。
【００２１】
オープンカーの折り畳み屋根の有利な実施例は、以下の図面において原理的に説明されている。
【図面の簡単な説明】
【００２２】
【図１】３つの屋根部によって構成される折り畳み屋根の閉鎖位置における上面斜視図である。
【図２】折り畳み屋根に裏張りされた車内天井部を視認できる乗員コンパートメントの方向から視た図１の折り畳み屋根の部分斜視図である。
【図３】折り畳み屋根が部分的に開放された状態の図２に対応する折り畳み屋根の部分斜視図である。
【図４】線型形成素子が車内天井部の側面領域であって、折り畳み屋根の中央屋根部の形状的に安定した構成部に配置された状態の図１〜３の折り畳み屋根の一部を簡略化した立体図である。
【図５】中央屋根部の形状的に安定した構成部及び線型形成素子のみを示す立体図である。
【発明を実施するための形態】
【００２３】
いわゆる「格納式ハードトップ」（ＲＨＴ）と呼称される形状的に安定した構成様式であるオープンカー１の折り畳み屋根３が図１に示されている。折り畳み屋根３は、折り畳み屋根リンケージ１１を介して、図１に示される乗員コンパートメント１０を覆う状態と図示しない後方の収納空間に収納されている状態との間を移動可能な３つの強固な屋根部５、７及び９を有している。
【００２４】
１番目の前方屋根部５は、折り畳み屋根が閉じられているときにオープンカー１のフロントガラスフレームに接続可能である。折り畳み屋根が閉鎖位置においては、２番目の中央屋根部７が前方屋根部５の後方に隣接しており、その後方側に隣接するように後部窓１３を有する３番目の後方屋根部９が続いている。
【００２５】
図２及び図３には、乗員コンパートメント１０の方向から視た折り畳み屋根３の後方領域が示されており、図２に示す折り畳み屋根３は、閉鎖位置において図示されており、図３には、中央屋根部７に対して後方屋根部９が折り畳み屋根の垂直方向に持ち上げられて部分的に開放位置にある状態が図示されている。折り畳み屋根がさらに開放されることによって、中央屋根部７が後方屋根部９の下方に移動され、後方屋根部９と共に収納される。
【００２６】
乗員コンパートメント１０の視覚的に魅力的なデザインのために、屋根部５、７及び９と折り畳み屋根リンケージ１１は、車内天井部１５によって乗員コンパートメント１０に関して覆われており、車内天井部１５は、その側面領域でも屋根部７、９のカバー素子１７に密接に隣接している。
【００２７】
折り畳み屋根３がその閉鎖位置から開放位置へ移行する場合において、まず、後方屋根部９が車両の縦方向に移動される。折り畳み屋根の開放動作中に車内天井部１５に高い応力や損傷が生じることを防止するために、車内天井部１５は、後方屋根部９の領域において、後方屋根部９と未接続にすることができる。
【００２８】
それにも関らず、折り畳み屋根の閉鎖位置において、車内天井部１５が車内天井部１５の弛緩領域１８で後方屋根部９に密接に隣接するために、車内天井部１５は、図４及び図５に詳細に示す形状的に安定した線型形成素子１９を有しており、線型形成素子１９は、車内天井部１５の縁部である辺縁領域２１に配置されて、図３に示されるように、車内天井部１５は、所定位置において後方屋根部９と未接続の状態で弛緩領域１８において保持されている。
【００２９】
図４及び図５に示す線型形成素子１９は、折り畳み屋根の左側面に関連している。折り畳み屋根の右側面には、以下に記述する線型形成素子１９を一例とする線型形成素子１９と同様に構成された線型形成素子が設けられている。
【００３０】
線型形成素子１９は、前端領域において折り畳み屋根の前方側に向かって延在する第１セクション２３を有しており、第１セクション２３は、折り畳み屋根の中央に向かって折り畳み屋根の横方向に延在している。線型形成素子１９は、第１セクション２３の後方に隣接して、セクション２３に対して略直角に屈曲している第２セクション２５を有しており、第２セクション２５は、まず折り畳み屋根の縦方向にまっすぐに延在して、線型形成素子１９が延在する縦方向長の約半分は屈曲しており、屈曲部分は、折り畳み屋根の中心方向に４分円の形状を呈する第３セクション２７となっている。線型形成素子１９の直線状の自由端２９は、環形の第３セクション２７と隣接すると共に後方に延在しており、折り畳み屋根の縦方向に再び略直角に屈曲している。
【００３１】
線型形成素子１９は、折り畳み屋根の閉鎖位置において、車内天井部１５がカバー素子１７に密接に隣接するように、隣接するカバー素子１７に並べられている。
【００３２】
本発明の変形形態において、線型形成素子は、所望の異なる配置にすることができ、屋根部又はカバー素子の様々な形状に適合させることができる。さらに、線型形成素子は、車内天井部の任意の位置に配置することができ、また、複数の線型形成素子を設けることもできる。
【００３３】
第１セクション２３及び第２セクション２５の領域において、線型形成素子１９は、中央屋根部７の形状的に安定した構成部３１に配置されており、線型形成素子１９は、第１セクション２３で形状的に安定した構成部３１の凹部３３に挿入されており、第２セクション２５の領域において、形状的に安定した構成部３１にクリップ接続部３５を介して固定されている。
【００３４】
線型形成素子１９は、車内天井部１５と協働するために、少なくとも第３セクション２７内において、車内天井部の環状に形成された辺縁領域２１に自由端２９と共に配置されているので、特に弛緩領域１８において、線型形成素子１９から車内天井部１５に対して、折り畳み屋根の縦方向及び折り畳み屋根の横方向の張力を伝達することができる。
【００３５】
車内天井部１５の辺縁領域２１の側方は、ビーズ形の縁として構成されており、ビーズ形の縁は、折り畳み屋根の閉鎖位置において、屋根部７、９又はカバー素子１７にそれぞれ隣接している。
【００３６】
線型形成素子１９は、基本的に金属製であるが、プラスチック材料から形成することもでき、線型形成素子１９は、車両の折り畳み屋根が閉じられているときに、折り畳み屋根の動作中に生じる屋根部５、７、９の間の空間のために屋根部にしっかりと接続させることができない車内天井部１５の保持を改善することもできる。低価格の線型形成素子１９は、折り畳み屋根が閉じられるときに、簡単に作動的に車内天井部に接続され、車内天井部に所望の張力を掛けて車内天井部を後方屋根部９に対して引き込み固定することができる。
【図１】
0005684143.tif 000002
【図２】
0005684143.tif 000003
【図３】
0005684143.tif 000004
【図４】
0005684143.tif 000005
【図５】
0005684143.tif 000006